(57)【要約】  本開示のいくつかの態様は、１つまたは複数のチャネル状態情報基準信号（ＣＳＩ−ＲＳ）リソースを受信することを含むワイヤレス通信の方法に関する。本方法は、１つまたは複数のＣＳＩ−ＲＳリソースに基づいてタイミング推定を実行することと、復調基準信号（ＤＭ−ＲＳ）ベース送信を受信することと、ＤＭ−ＲＳベース送信を復号するためにタイミング推定を利用することとをさらに含む。
2015505223.tif 000002
【特許請求の範囲】
【請求項１】
ＵＥによるワイヤレス通信のための方法であって、
１つまたは複数のチャネル状態情報基準信号（ＣＳＩ−ＲＳ）リソースを受信することと、
前記１つまたは複数のＣＳＩ−ＲＳリソースに基づいてタイミング推定を実行することと、
復調基準信号（ＤＭ−ＲＳ）ベース送信を受信することと、
前記ＤＭ−ＲＳベース送信を復号するために前記タイミング推定を利用することと
を備える、方法。
【請求項２】
前記タイミング推定を実行するためにいずれのＣＳＩ−ＲＳリソースを使用するかを判断することをさらに備える、請求項１に記載の方法。
【請求項３】
前記判断が、ネットワークから受信されたシグナリングに、少なくとも部分的に基づく、請求項２に記載の方法。
【請求項４】
前記ネットワークから受信された前記シグナリングは、
１つまたは複数の構成状態を示す、前記ネットワークからの半静的シグナリングと、ここにおいて、各構成状態が１つのＣＳＩ−ＲＳリソースに関連付けられている、
前記１つまたは複数の構成状態のうちのいずれが前記タイミング推定を実行するために利用されるべきかを示す動的シグナリングと
の組合せを備える、請求項３に記載の方法。
【請求項５】
前記シグナリングが、前記ＤＭ−ＲＳベース送信に関連付けられた許可中に含まれる少なくとも１ビットを介して前記タイミング推定を実行するために使用されるべきＣＳＩ−ＲＳリソースを示す、請求項３に記載の方法。
【請求項６】
前記判断が、前記ＤＭ−ＲＳベース送信に関連付けられた許可のタイプに少なくとも部分的に基づく、請求項３に記載の方法。
【請求項７】
前記シグナリングが、前記許可中のスクランブリングコード識別（ＳＣＩＤ）ビットを介して前記タイミング推定を実行するために使用されるべきＣＳＩ−ＲＳリソースを示す、請求項３に記載の方法。
【請求項８】
前記シグナリングが第１のサブフレーム中に供せられ、
前記ＤＭ−ＲＳベース送信が前記第１のサブフレームに続く第２のサブフレーム中で送信される、請求項３に記載の方法。
【請求項９】
タイミング推定のために使用されるべき前記ＣＳＩ−ＲＳリソースは、非周期フィードバック報告が直近に報告または要求された前記のもととして選択される、請求項３に記載の方法。
【請求項１０】
前記判断が仮想セルＩＤに基づく、請求項３に記載の方法。
【請求項１１】
前記判断がサブフレームのタイプに、少なくとも部分的に、依存する、請求項２に記載の方法。
【請求項１２】
タイミング推定のために使用される前記ＣＳＩ−ＲＳリソースは、前記ＣＳＩ−ＲＳを含んでいるサブフレームが、他の送信ポイントによる低減された干渉を受けるかどうかに、少なくとも部分的に、依存する、請求項１１に記載の方法。
【請求項１３】
前記ＤＭ−ＲＳベース送信がデータ送信を備える、請求項１に記載の方法。
【請求項１４】
前記ＤＭ−ＲＳベース送信が制御情報を備える、請求項１に記載の方法。
【請求項１５】
前記ＤＭ−ＲＳベース送信が拡張物理ダウンリンク制御チャネル（ＥＰＤＣＣＨ）を備える、請求項１４に記載の方法。
【請求項１６】
前記ＥＰＤＣＣＨがマルチプルの復号セットを備え、
前記ＤＭ−ＲＳベース送信に関連付けられた前記ＣＳＩ−ＲＳリソースの前記判断が、前記復号セットの各々をＣＳＩ−ＲＳリソースに関連付ける前記ネットワークによって受信されたシグナリングに、少なくとも部分的に、依存する、請求項１５に記載の方法。
【請求項１７】
基地局（ＢＳ）によるワイヤレス通信のための方法であって、
ユーザ機器（ＵＥ）に、タイミング推定を実行するために使用されるべき１つまたは複数のチャネル状態情報基準信号（ＣＳＩ−ＲＳ）リソースのセットを示すシグナリングを送信することと、
前記ＵＥに復調基準信号（ＤＭ−ＲＳ）ベース送信を送ること、前記ＤＭ−ＲＳ送信は、前記指示されたＣＳＩ−ＲＳリソースを使用して実行された前記タイミング推定に基づいて、前記ＵＥによって復号される、
を備える、方法。
【請求項１８】
前記シグナリングは、
１つまたは複数の構成状態を示す半静的シグナリングと、ここにおいて、各構成状態は１つのＣＳＩ−ＲＳリソースに関連付けられる
前記１つまたは複数の構成状態のうちのいずれが前記タイミング推定を実行するために利用されるべきかを示す動的シグナリングと
の組合せを備える、請求項１７に記載の方法。
【請求項１９】
前記シグナリングが、前記ＤＭ−ＲＳベース送信に関連付けられた許可中に含まれる少なくとも１ビットを介して前記タイミング推定を実行するために使用されるべきＣＳＩ−ＲＳリソースを示す、請求項１７に記載の方法。
【請求項２０】
前記指示が、前記ＤＭ−ＲＳベース送信に関連付けられた許可のタイプに少なくとも部分的に基づく、請求項１９に記載の方法。
【請求項２１】
前記シグナリングが、前記許可中のスクランブリングコード識別（ＳＣＩＤ）ビットを介して前記タイミング推定を実行するために使用されるべきＣＳＩ−ＲＳリソースを示す、請求項１７に記載の方法。
【請求項２２】
前記シグナリングが第１のサブフレーム中に供せられ、
前記ＤＭ−ＲＳベース送信が前記第１のサブフレームに続く第２のサブフレーム中で送信される、請求項１７に記載の方法。
【請求項２３】
タイミング推定のために使用されるべき前記ＣＳＩ−ＲＳリソースは、非周期フィードバック報告が直近に報告または要求された前記のものとして選択される、請求項１７に記載の方法。
【請求項２４】
前記判断が仮想セルＩＤに基づく、請求項１７に記載の方法。
【請求項２５】
使用されるべき前記ＣＳＩ−ＲＳリソースが、サブフレームのタイプに少なくとも部分的に依存する、請求項１７に記載の方法。
【請求項２６】
タイミング推定のために使用される前記ＣＳＩ−ＲＳリソースは、前記ＣＳＩ−ＲＳを含んでいるサブフレームが、他の送信ポイントによる低減された干渉を受けるかどうかに、少なくとも部分的に依存する、請求項２５に記載の方法。
【請求項２７】
前記ＤＭ−ＲＳベース送信がデータ送信を備える、請求項１７に記載の方法。
【請求項２８】
前記ＤＭ−ＲＳベース送信が制御情報を備える、請求項１７に記載の方法。
【請求項２９】
前記ＤＭ−ＲＳベース送信が拡張物理ダウンリンク制御チャネル（ＥＰＤＣＣＨ）を備える、請求項２８に記載の方法。
【請求項３０】
前記ＥＰＤＣＣＨがマルチプルの復号セットを備え、
前記シグナリングが前記復号セットの各々をＣＳＩ−ＲＳリソースに関連付ける、請求項２９に記載の方法。
【請求項３１】
ワイヤレス通信のための装置であって、
１つまたは複数のチャネル状態情報基準信号（ＣＳＩ−ＲＳ）リソースを受信するための手段と、
前記１つまたは複数のＣＳＩ−ＲＳリソースに基づいてタイミング推定を実行するための手段と、
復調基準信号（ＤＭ−ＲＳ）ベース送信を受信するための手段と、
前記ＤＭ−ＲＳベース送信を復号するために前記タイミング推定を利用するための手段と
を備える、装置。
【請求項３２】
前記タイミング推定を実行するためにいずれのＣＳＩ−ＲＳリソースを使用すべきかを判断するための手段をさらに備える、請求項３１に記載の装置。
【請求項３３】
前記判断が、ネットワークから受信されたシグナリングに少なくとも部分的に基づく、請求項３２に記載の装置。
【請求項３４】
前記ネットワークから受信されたシグナリングのための前記手段は、
１つまたは複数の構成状態を示す、前記ネットワークからの半静的シグナリングのための手段と、ここにおいて、各構成状態は１つのＣＳＩ−ＲＳリソースに関連付けられる、
前記１つまたは複数の構成状態のうちのいずれが前記タイミング推定を実行するために利用されるべきかを示す動的シグナリングのための手段と
の組合せを備える、請求項３３に記載の装置。
【請求項３５】
シグナリングのための前記手段が、前記ＤＭ−ＲＳベース送信に関連付けられた許可中に含まれる少なくとも１ビットを介して前記タイミング推定を実行するために使用されるべきＣＳＩ−ＲＳリソースを示す、請求項３３に記載の装置。
【請求項３６】
前記判断が、前記ＤＭ−ＲＳベース送信に関連付けられた許可のタイプに少なくとも部分的に基づく、請求項３３に記載の装置。
【請求項３７】
シグナリングのための前記手段が、前記許可中のスクランブリングコード識別（ＳＣＩＤ）ビットを介して前記タイミング推定を実行するために使用されるべきＣＳＩ−ＲＳリソースを示す、請求項３３に記載の装置。
【請求項３８】
シグナリングのための前記手段が第１のサブフレーム中に供せられる、
前記ＤＭ−ＲＳベース送信が前記第１のサブフレームに続いく第２のサブフレーム中で送信される、請求項３３に記載の装置。
【請求項３９】
タイミング推定のために使用されるべき前記ＣＳＩ−ＲＳリソースは、非周期フィードバック報告が直近に報告または要求された前記のものとして選択される、請求項３３に記載の装置。
【請求項４０】
前記判断が仮想セルＩＤに基づく、請求項３３に記載の装置。
【請求項４１】
前記判断がサブフレームのタイプに、少なくとも部分的に、依存する、請求項３２に記載の装置。
【請求項４２】
タイミング推定のために使用される前記ＣＳＩ−ＲＳリソースは、前記ＣＳＩ−ＲＳを含んでいるサブフレームが、他の送信ポイントによる低減された干渉を受けるかどうかに、少なくとも部分的に、依存する、請求項４１に記載の装置。
【請求項４３】
前記ＤＭ−ＲＳベース送信がデータ送信を備える、請求項３１に記載の装置。
【請求項４４】
前記ＤＭ−ＲＳベース送信が制御情報を備える、請求項３１に記載の装置。
【請求項４５】
前記ＤＭ−ＲＳベース送信が拡張物理ダウンリンク制御チャネル（ＥＰＤＣＣＨ）を備える、請求項４４に記載の装置。
【請求項４６】
前記ＥＰＤＣＣＨがマルチプルの復号セットを備え、及び
前記ＤＭ−ＲＳベース送信に関連付けられた前記ＣＳＩ−ＲＳリソースの前記判断が、前記復号セットの各々をＣＳＩ−ＲＳリソースに関連付ける前記ネットワークによって受信されたシグナリングに、少なくとも部分的に依存する、請求項４５に記載の装置。
【請求項４７】
ワイヤレス通信のための装置であって、
ユーザ機器（ＵＥ）に、タイミング推定を実行するために使用されるべき１つまたは複数のチャネル状態情報基準信号（ＣＳＩ−ＲＳ）リソースのセットを示すシグナリングを送信するための手段と、
前記ＵＥに復調基準信号（ＤＭ−ＲＳ）ベース送信を送るための手段と、前記ＤＭ−ＲＳ送信は、前記示されたＣＳＩ−ＲＳリソースを使用して実行された前記タイミング推定に基づいて、前記ＵＥによって復号されるべきであるＤＭ−ＲＳベース送信を送るための手段と
を備える、装置。
【請求項４８】
シグナリングのための前記手段は、
１つまたは複数の構成状態を示す半静的シグナリングのための手段と、ここにおいて、各構成状態は１つのＣＳＩ−ＲＳリソースに関連付けられる、
前記１つまたは複数の構成状態のうちのいずれが前記タイミング推定を実行するために利用されるべきかを示す動的シグナリングのための手段と、
の組合せを備える、請求項４７に記載の装置。
【請求項４９】
シグナリングのための前記手段が、前記ＤＭ−ＲＳベース送信に関連付けられた許可中に含まれる少なくとも１ビットを介して前記タイミング推定を実行するために使用されるべきＣＳＩ−ＲＳリソースを示す、請求項４７に記載の装置。
【請求項５０】
前記示すことが、前記ＤＭ−ＲＳベース送信に関連付けられた許可のタイプに、少なくとも部分的に、基づく、請求項４９に記載の装置。
【請求項５１】
シグナリングのための前記手段が、前記許可中のスクランブリングコード識別（ＳＣＩＤ）ビットを介して前記タイミング推定を実行するために使用されるべきＣＳＩ−ＲＳリソースを示す、請求項４７に記載の装置。
【請求項５２】
シグナリングのための前記手段が第１のサブフレーム中でシグナリングを行い、
前記ＤＭ−ＲＳベース送信が前記第１のサブフレームに続く第２のサブフレーム中で送信される、請求項４７に記載の装置。
【請求項５３】
タイミング推定のために使用されるべき前記ＣＳＩ−ＲＳリソースは、非周期フィードバック報告が直近に報告または要求された前記のものとして選択される、請求項４７に記載の装置。
【請求項５４】
前記判断が仮想セルＩＤに基づく、請求項４７に記載の装置。
【請求項５５】
使用されるべき前記ＣＳＩ−ＲＳリソースが、サブフレームのタイプに少なくとも部分的に依存する、請求項４７に記載の装置。
【請求項５６】
タイミング推定のために使用される前記ＣＳＩ−ＲＳリソースは、前記ＣＳＩ−ＲＳを含んでいるサブフレームが、他の送信ポイントによる低減された干渉を受けるかどうかに、少なくとも部分的に、依存する、請求項５５に記載の装置。
【請求項５７】
前記ＤＭ−ＲＳベース送信がデータ送信を備える、請求項４７に記載の装置。
【請求項５８】
前記ＤＭ−ＲＳベース送信が制御情報を備える、請求項４７に記載の装置。
【請求項５９】
前記ＤＭ−ＲＳベース送信が拡張物理ダウンリンク制御チャネル（ＥＰＤＣＣＨ）を備える、請求項５８に記載の装置。
【請求項６０】
前記ＥＰＤＣＣＨがマルチプルの復号セットを備え、
シグナリングのための前記手段が、前記復号セットの各々をＣＳＩ−ＲＳリソースに関連付けるシグナリングを供する、請求項５９に記載の装置。
【請求項６１】
少なくとも１つのプロセッサと、
前記少なくとも１つのプロセッサに結合されたメモリとを備え、ここにおいて、前記少なくとも１つのプロセッサは、１つまたは複数のチャネル状態情報基準信号（ＣＳＩ−ＲＳ）リソースを受信することと、前記１つまたは複数のＣＳＩ−ＲＳリソースに基づいてタイミング推定を実行することと、復調基準信号（ＤＭ−ＲＳ）ベース送信を受信することと、及び前記ＤＭ−ＲＳベース送信を復号するために前記タイミング推定を利用することと、
を行うために構成されるユーザ機器。
【請求項６２】
少なくとも１つのプロセッサと、
前記少なくとも１つのプロセッサに結合されたメモリとを備え、ここにおいて、前記少なくとも１つのプロセッサは、ユーザ機器（ＵＥ）に、タイミング推定を実行するために使用されるべき１つまたは複数のチャネル状態情報基準信号（ＣＳＩ−ＲＳ）リソースのセットを示すシグナリングを送信することと、および前記ＵＥに復調基準信号（ＤＭ−ＲＳ）ベース送信を送ることを行うように構成され、、前記ＤＭ−ＲＳ送信は、前記示されたＣＳＩ−ＲＳリソースを使用して実行された前記タイミング推定に基づいて、前記ＵＥによって復号される、ＤＭ−ＲＳベース送信を送ることとを行うために構成された、基地局。
【請求項６３】
その上に記憶された命令を有する非一時的コンピュータ可読媒体を備えるコンピュータプログラム製品であって、前記命令は、
１つまたは複数のチャネル状態情報基準信号（ＣＳＩ−ＲＳ）リソースを受信することと、
前記１つまたは複数のＣＳＩ−ＲＳリソースに基づいてタイミング推定を実行することと、
復調基準信号（ＤＭ−ＲＳ）ベース送信を受信することと、
前記ＤＭ−ＲＳベース送信を復号するために前記タイミング推定を利用することと、
のために１つまたは複数のプロセッサによって実行可能であるコンピュータプログラム製品。
【請求項６４】
その上に記憶された命令を有する非一時的コンピュータ可読媒体を備えるコンピュータプログラム製品であって、前記命令は、
ユーザ機器（ＵＥ）に、タイミング推定を実行するために使用されるべき１つまたは複数のチャネル状態情報基準信号（ＣＳＩ−ＲＳ）リソースのセットを示すシグナリングを送信することと、
前記ＵＥに復調基準信号（ＤＭ−ＲＳ）ベース送信を送ることであって、前記ＤＭ−ＲＳ送信は、前記指示されたＣＳＩ−ＲＳリソースを使用して実行された前記タイミング推定に基づいて前記ＵＥによって復号される、ＤＭ−ＲＳベース送信を送ることと、
のために１つまたは複数のプロセッサによって実行可能である、コンピュータプログラム製品。
【発明の詳細な説明】
【技術分野】
【０００１】
米国特許法第１１９条に基づく優先権の主張
本出願は、それの全体が参照により本明細書に組み込まれる、２０１２年９月２７日に出願された米国仮特許出願第６１／７０６，４６４号、およびそれの全体が参照により本明細書に組み込まれる、２０１２年１月１３日に出願された米国仮特許出願第６１／５８６，６２９号の利益を主張する。
【０００２】
本開示のいくつかの態様は、一般に、ワイヤレス通信に関し、より詳細には、チャネル状態情報基準信号（ＣＳＩ−ＲＳ：Channel State Information Reference Signals）ベースのタイミングを使用する復調基準信号（ＤＭ−ＲＳ：demodulation reference signal）ベースの復号のための技法に関する。
【背景技術】
【０００３】
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信による干渉を観測することがある。アップリンク上では、ＵＥからの送信は、ネイバー基地局と通信する他のＵＥからの送信に干渉を生じることがある。干渉は、ダウンリンクとアップリンクの両方でパフォーマンスを劣化させることがある。
【発明の概要】
【０００６】
本開示の一態様では、ワイヤレス通信のための方法が提供される。本方法は、概して、１つまたは複数のチャネル状態情報基準信号（ＣＳＩ−ＲＳ）リソースを受信することと、１つまたは複数のＣＳＩ−ＲＳリソースに基づいてタイミング推定を実行することと、復調基準信号（ＤＭ−ＲＳ）ベース送信を受信することと、ＤＭ−ＲＳベース送信を復号するためにタイミング推定を利用することとを含む。
【０００７】
別の態様では、ワイヤレス通信のための方法が提供される。本方法は、概して、ユーザ機器（ＵＥ）に、タイミング推定を実行するために使用されるべき１つまたは複数のチャネル状態情報基準信号（ＣＳＩ−ＲＳ）リソースのセットを示すシグナリングを送信することと、ＵＥに復調基準信号（ＤＭ−ＲＳ）ベース送信を送ることであって、ＤＭ−ＲＳ送信が、指示されたＣＳＩ−ＲＳリソースを使用して実行されたタイミング推定に基づいてＵＥによって復号されるべきである、ＤＭ−ＲＳベース送信を送ることとを含む。
【０００８】
一態様では、ワイヤレス通信のための装置が提供される。本装置は、概して、１つまたは複数のチャネル状態情報基準信号（ＣＳＩ−ＲＳ）リソースを受信するための手段と、１つまたは複数のＣＳＩ−ＲＳリソースに基づいてタイミング推定を実行するための手段と、復調基準信号（ＤＭ−ＲＳ）ベース送信を受信するための手段と、ＤＭ−ＲＳベース送信を復号するためにタイミング推定を利用するための手段とを含む。
【０００９】
一態様では、ワイヤレス通信のための装置が提供される。本装置は、概して、ユーザ機器（ＵＥ）に、タイミング推定を実行するために使用されるべき１つまたは複数のチャネル状態情報基準信号（ＣＳＩ−ＲＳ）リソースのセットを示すシグナリングを送信するための手段と、ＵＥに復調基準信号（ＤＭ−ＲＳ）ベース送信を送るための手段であって、ＤＭ−ＲＳ送信が、指示されたＣＳＩ−ＲＳリソースを使用して実行されたタイミング推定に基づいてＵＥによって復号されるべきである、ＤＭ−ＲＳベース送信を送るための手段とを含む。
【００１０】
一態様では、ユーザ機器が提供される。ユーザ機器は、概して、少なくとも１つのプロセッサと、少なくとも１つのプロセッサに結合されたメモリとを含み、ここにおいて、プロセッサは、概して、１つまたは複数のチャネル状態情報基準信号（ＣＳＩ−ＲＳ）リソースを受信することと、１つまたは複数のＣＳＩ−ＲＳリソースに基づいてタイミング推定を実行することと、復調基準信号（ＤＭ−ＲＳ）ベース送信を受信することと、ＤＭ−ＲＳベース送信を復号するためにタイミング推定を利用することとを行うために構成される。
【００１１】
一態様では、基地局が提供される。基地局は、概して、少なくとも１つのプロセッサと、少なくとも１つのプロセッサに結合されたメモリとを含み、ここにおいて、プロセッサは、概して、ユーザ機器（ＵＥ）に、タイミング推定を実行するために使用されるべき１つまたは複数のチャネル状態情報基準信号（ＣＳＩ−ＲＳ）リソースのセットを示すシグナリングを送信することと、ＵＥに復調基準信号（ＤＭ−ＲＳ）ベース送信を送ることであって、ＤＭ−ＲＳ送信が、指示されたＣＳＩ−ＲＳリソースを使用して実行されたタイミング推定に基づいてＵＥによって復号されるべきである、ＤＭ−ＲＳベース送信を送ることとを行うために構成される。
【００１２】
一態様では、命令がその上に記憶されたコンピュータ可読媒体を備えるコンピュータプログラム製品が提供される。命令は、概して、１つまたは複数のチャネル状態情報基準信号（ＣＳＩ−ＲＳ）リソースを受信することと、１つまたは複数のＣＳＩ−ＲＳリソースに基づいてタイミング推定を実行することと、復調基準信号（ＤＭ−ＲＳ）ベース送信を受信することと、ＤＭ−ＲＳベース送信を復号するためにタイミング推定を利用することとを行うために１つまたは複数のプロセッサによって実行可能である。
【００１３】
一態様では、命令がその上に記憶されたコンピュータ可読媒体を備えるコンピュータプログラム製品が提供される。命令は、概して、ユーザ機器（ＵＥ）に、タイミング推定を実行するために使用されるべき１つまたは複数のチャネル状態情報基準信号（ＣＳＩ−ＲＳ）リソースのセットを示すシグナリングを送信することと、ＵＥに復調基準信号（ＤＭ−ＲＳ）ベース送信を送ることであって、ＤＭ−ＲＳ送信が、指示されたＣＳＩ−ＲＳリソースを使用して実行されたタイミング推定に基づいてＵＥによって復号されるべきである、ＤＭ−ＲＳベース送信を送ることとを行うために１つまたは複数のプロセッサによって実行可能である。
【００１４】
本開示の様々な態様および特徴が、以下でさらに詳細に説明される。
【図面の簡単な説明】
【００１５】
【図１】本開示のいくつかの態様による、ワイヤレス通信ネットワークの一例を概念的に示すブロック図。
【図２】本開示のいくつかの態様による、ワイヤレス通信ネットワークにおけるフレーム構造の一例を概念的に示すブロック図。
【図２Ａ】本開示のいくつかの態様による、ロングタームエボリューション（ＬＴＥ：Long Term Evolution）におけるアップリンクのための例示的なフォーマットを示す図。
【図３】本開示のいくつかの態様による、ワイヤレス通信ネットワーク中のユーザ機器デバイス（ＵＥ）と通信しているノードＢの一例を概念的に示すブロック図。
【図４】本開示のいくつかの態様による、例示的な異種ネットワーク（ＨｅｔＮｅｔ）を示す図。
【図５】本開示のいくつかの態様による、異種ネットワークにおける例示的なリソース区分を示す図。
【図６】本開示のいくつかの態様による、異種ネットワークにおけるサブフレームの例示的な協働区分を示す図。
【図７】本開示のいくつかの態様による、フィードバックのためのＣＳＩ−ＲＳ送信の例示的なシナリオを示す図。
【図８】本開示のいくつかの態様による、復調のためのＤＭ−ＲＳ送信の例示的なシナリオを示す図。
【図９】本開示のいくつかの態様による、例示的な動作を示す図。
【図１０】本開示のいくつかの態様による、例示的な動作を示す図。
【発明を実施するための形態】
【００１６】
本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のワイヤレスネットワークおよび無線技術、ならびに他のワイヤレスネットワークおよび無線技術のために使用され得る。明快のために、本技法のいくつかの態様が以下でＬＴＥに関して説明され、以下の説明の大部分でＬＴＥ用語が使用される。
【００１７】
例示的なワイヤレスネットワーク
図１に、ワイヤレス通信ネットワーク１００を示し、これはＬＴＥネットワークであり得る。ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ１１０は、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１８】
ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅＮＢは、マクロｅＮＢ（すなわち、マクロ基地局）と呼ばれることがある。ピコセルのためのｅＮＢは、ピコｅＮＢ（すなわち、ピコ基地局）と呼ばれることがある。フェムトセルのためのｅＮＢは、フェムトｅＮＢ（すなわち、フェムト基地局）またはホームｅＮＢと呼ばれることがある。図１に示される例では、ｅＮＢ１１０ａ、１１０ｂ、および１１０ｃは、それぞれマクロセル１０２ａ、１０２ｂ、および１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００１９】
ワイヤレスネットワーク１００はまた、中継局を含み得る。中継局は、上流局（たとえば、ｅＮＢまたはＵＥ）からデータおよび／または他の情報の送信を受信し、下流局（たとえば、ＵＥまたはｅＮＢ）にそのデータおよび／または他の情報の送信を送る局である。中継局はまた、他のＵＥに対する送信を中継するＵＥであり得る。図１に示される例では、中継局１１０ｒは、ｅＮＢ１１０ａとＵＥ１２０ｒとの間の通信を可能にするために、ｅＮＢ１１０ａおよびＵＥ１２０ｒと通信し得る。中継局は、リレーｅＮＢ、リレーなどと呼ばれることもある。
【００２０】
ワイヤレスネットワーク１００は、様々なタイプのｅＮＢ、たとえば、マクロｅＮＢ、ピコｅＮＢ、フェムトｅＮＢ、リレーなどを含む異種ネットワーク（ＨｅｔＮｅｔ）であり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００２１】
ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明される技法は、同期動作と非同期動作の両方のために使用され得る。
【００２２】
ネットワークコントローラ１３０は、ｅＮＢのセットに結合し、これらのｅＮＢの協調および制御を行い得る。ネットワークコントローラ１３０は、バックホールを介してｅＮＢ１１０と通信し得る。ｅＮＢ１１０はまた、たとえば、ワイヤレスバックホールまたはワイヤラインバックホールを介して直接または間接的に互いに通信し得る。
【００２３】
ＵＥ１２０は、ワイヤレスネットワーク１００全体にわたって分散され得、各ＵＥは固定または移動であり得る。ＵＥは、端末、移動局、加入者ユニット、局などと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレットなどであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。いくつかの態様では、ＵＥは、ＬＴＥリリース１０ＵＥを備え得る。
【００２４】
ＬＴＥは、ダウンリンク上では直交周波数分割多重化（ＯＦＤＭ：orthogonal frequency division multiplexing）を利用し、アップリンク上ではシングルキャリア周波数分割多重化（ＳＣ−ＦＤＭ：single-carrier frequency division multiplexing）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭの場合は周波数領域で、ＳＣ−ＦＤＭの場合は時間領域で送られる。隣接するサブキャリア間の間隔は固定であり得、サブキャリアの総数（Ｋ）はシステム帯域幅に依存し得る。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２５】
図２に、ＬＴＥにおいて使用されるフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されるように）通常のサイクリックプレフィックスの場合はＬ＝７個のシンボル期間、または拡張されたサイクリックプレフィックスの場合はＬ＝６個のシンボル期間を含み得る。各サブフレーム中の２Ｌ個のシンボル期間には、０〜２Ｌ−１のインデックスが割り当てられ得る。利用可能な時間周波数リソースはリソースブロックに区分され得る。各リソースブロックは、１つのスロット中にＮ個のサブキャリア（たとえば、１２個のサブキャリア）をカバーし得る。
【００２６】
ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、図２に示されるように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２７】
ｅＮＢは、図２に示されるように、各サブフレームの第１のシンボル期間中で物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、ここで、Ｍは、１、２、または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間中で物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割当てに関する情報と、ダウンリンクチャネルのための制御情報とを搬送し得る。ｅＮＢは、各サブフレームの残りのシンボル期間中で物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００２８】
ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００２９】
各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数全体にわたって拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、最初のＭ個のシンボル期間において、利用可能なＲＥＧから選択され得る、９、１８、３６または６４個のＲＥＧを占有し得る。ＲＥＧのいくつかの組合せのみがＰＤＣＣＨに対して許可され得る。
【００３０】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して許可される組合せの数よりも少ない。ｅＮＢは、ＵＥが探索することになる組合せのいずれかにおいてＵＥにＰＤＣＣＨを送り得る。
【００３１】
図２Ａに、ＬＴＥにおけるアップリンクのための例示的なフォーマット２００Ａを示す。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図２Ａの設計は、データセクション中の連続するサブキャリアのすべてが単一のＵＥに割り当てられることを可能にし得る連続サブキャリアを含むデータセクションを生じる。
【００３２】
ＵＥには、ｅＮＢに制御情報を送信するために制御セクション中のリソースブロックが割り当てられ得る。ＵＥには、ｅＮＢにデータを送信するためにデータセクション中のリソースブロックも割り当てられ得る。ＵＥは、制御セクション中の割り当てられたリソースブロック上の物理アップリンク制御チャネル（ＰＵＣＣＨ：Physical Uplink Control Channel）２１０ａ、２１０ｂ中で制御情報を送信し得る。ＵＥは、データセクション中の割り当てられたリソースブロック上の物理アップリンク共有チャネル（ＰＵＳＣＨ：Physical Uplink Shared Channel）２２０ａ、２２０ｂ中でデータのみまたはデータと制御情報の両方を送信し得る。アップリンク送信は、サブフレームの両方のスロットにわたり得、図２Ａに示されるように周波数上でホッピングし得る。
【００３３】
ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３４】
ＵＥは、ＵＥが１つまたは複数の干渉ｅＮＢからの高い干渉を観測し得る支配的干渉シナリオにおいて動作し得る。支配的干渉シナリオは、制限された関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限された関連付けによりフェムトｅＮＢ１１０ｙにアクセスすることができないことがあり、次いで、（図１に示されるように）より低い受信電力をもつマクロｅＮＢ１１０ｃまたは同じくより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。
【００３５】
支配的干渉シナリオはまた、範囲拡張により発生し得、これは、ＵＥが、ＵＥによって検出されたすべてのｅＮＢのうち、より低い経路損失とより低いＳＮＲとをもつｅＮＢに接続するシナリオである。たとえば、図１では、ＵＥ１２０ｘは、マクロｅＮＢ１１０ｂとピコｅＮＢ１１０ｘとを検出し得、ｅＮＢ１１０ｘについて、ｅＮＢ１１０ｂよりも低い受信電力を有し得る。とはいえ、ｅＮＢ１１０ｘの経路損失がマクロｅＮＢ１１０ｂの経路損失よりも低い場合、ＵＥ１２０ｘは、ピコｅＮＢ１１０ｘに接続することが望ましいことがある。これにより、ＵＥ１２０ｘの所与のデータレートに対してワイヤレスネットワークへの干渉が少なくなり得る。
【００３６】
一態様では、支配的干渉シナリオにおける通信は、異なる周波数帯域上で異なるｅＮＢを動作させることによってサポートされ得る。周波数帯域は、通信のために使用され得る周波数範囲であり、（ｉ）中心周波数および帯域幅、または（ｉｉ）より低い周波数およびより高い周波数によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の受信電力に基づいて（ｅＮＢの送信電力レベルには基づかずに）「弱い」ｅＮＢまたは「強い」ｅＮＢとして分類され得る。
【００３７】
図３は、図１の基地局／ｅＮＢのうちの１つであり得る基地局またはｅＮＢ１１０と、図１のＵＥのうちの１つであり得るＵＥ１２０との設計のブロック図である。制限付き関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０は、Ｔ個のアンテナ３３４ａ〜３３４ｔを装備し得、ＵＥ１２０は、Ｒ個のアンテナ３５２ａ〜３５２ｒを装備し得、ここで、概して、Ｔ≧１およびＲ≧１である。
【００３８】
ｅＮＢ１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データシンボルと制御シンボルとを取得するために、それぞれデータと制御情報とを処理（たとえば、符号化およびシンボルマッピング）し得る。送信プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の変調器（ＭＯＤ）３３２ａ〜３３２ｔにＴ個の出力シンボルストリームを与え得る。各変調器３３２は、出力サンプルストリームを取得するために、（たとえば、ＯＦＤＭなどのために）それぞれの出力シンボルストリームを処理し得る。各変調器３３２はさらに、ダウンリンク信号を取得するために、出力サンプルストリームを処理（たとえば、アナログへの変換、増幅、フィルタ、およびアップコンバート）し得る。変調器３３２ａ〜３３２ｔからのＴ個のダウンリンク信号は、それぞれＴ個のアンテナ３３４ａ〜３３４ｔを介して送信され得る。
【００３９】
ＵＥ１２０において、アンテナ３５２ａ〜３５２ｒは、ｅＮＢ１１０からダウンリンク信号を受信し得、それぞれ復調器（ＤＥＭＯＤ）３５４ａ〜３５４ｒに受信された信号を与え得る。各復調器３５４は、入力サンプルを取得するために、それぞれの受信された信号を調整（たとえば、フィルタ、増幅、ダウンコンバート、およびデジタル化）し得る。各復調器３５４はさらに、受信されたシンボルを取得するために、（たとえば、ＯＦＤＭなどのために）入力サンプルを処理し得る。ＭＩＭＯ検出器３５６は、Ｒ個の復調器３５４ａ〜３５４ｒのすべてから受信されたシンボルを取得し、適用可能な場合は受信されたシンボルに対してＭＩＭＯ検出を実行し、検出されたシンボルを与え得る。受信プロセッサ３５８は、検出されたシンボルを処理（たとえば、復調、デインターリーブ、および復号）し、ＵＥ１２０の復号されたデータをデータシンク３６０に与え、復号された制御情報をコントローラ／プロセッサ３８０に与え得る。
【００４０】
アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコーディングされ、さらに（たとえば、ＳＣ−ＦＤＭなどのために）変調器３５４ａ〜３５４ｒによって処理され、ｅＮＢ１１０に送信され得る。ｅＮＢ１１０において、ＵＥ１２０からのアップリンク信号は、アンテナ３３４によって受信され、復調器３３２によって処理され、適用可能な場合はＭＩＭＯ検出器３３６によって検出され、ＵＥ１２０によって送られた復号されたデータおよび制御情報を取得するために、さらに受信プロセッサ３３８によって処理され得る。受信プロセッサ３３８は、復号されたデータをデータシンク３３９に与え、復号された制御情報をコントローラ／プロセッサ３４０に与え得る。
【００４１】
コントローラ／プロセッサ３４０および３８０は、それぞれｅＮＢ１１０における動作およびＵＥ１２０における動作を指示し得る。ｅＮＢ１１０におけるコントローラ／プロセッサ３４０、受信プロセッサ３３８ならびに／または他のプロセッサおよびモジュールは、図８の動作８００、および／または本明細書で説明される技法のための他のプロセスを実行または指示し得る。メモリ３４２および３８２は、それぞれｅＮＢ１１０およびＵＥ１２０のためのデータおよびプログラムコードを記憶し得る。スケジューラ３４４は、ダウンリンク上および／またはアップリンク上でのデータ送信のためにＵＥをスケジュールし得る。
【００４２】
例示的なリソース区分
本開示のいくつかの態様によれば、ネットワークが拡張セル間干渉協調（ｅＩＣＩＣ：enhanced inter-cell interference coordination）をサポートするとき、基地局は、干渉セルがそれのリソースの一部を断念することによって干渉を低減または除去するために、リソースを協調するために互いにネゴシエートし得る。干渉は、干渉セルがそれのリソースの一部を断念することによって除去または低減され得る。干渉協調は、干渉セルによってもたらされるリソースを使用することによって、厳しい干渉の場合でも、ＵＥがサービングセルにアクセスすることを可能にし得る。
【００４３】
たとえば、オープンマクロセルのカバレージエリア中の、限定アクセスモードにあるフェムトセル（すなわち、メンバーフェムトＵＥのみがこのセルにアクセスすることができる）は、リソースをもたらすことと干渉を効果的に除去することとによって、マクロセルのために（フェムトセルのカバレージエリア中に）「カバレージホール」を生成することが可能であり得る。フェムトセルがリソースをもたらすことについてネゴシエートすることによって、フェムトセルカバレージエリアの下のマクロＵＥは、これらのもたらされるリソースを使用してＵＥのサービングマクロセルにアクセスすることが依然として可能であり得る。
【００４４】
発展型ユニバーサル地上波無線アクセスネットワーク（Ｅ−ＵＴＲＡＮ：Evolved Universal Terrestrial Radio Access Network）など、ＯＦＤＭを使用する無線アクセスシステムでは、もたらされるリソースは、時間ベース、周波数ベース、または両方の組合せであり得る。協調リソース区分が時間ベースであるとき、干渉セルは、時間領域においてサブフレームの一部を使用しない、すなわち、もたらさないことがある。協調リソース区分が周波数ベースであるとき、干渉セルは、周波数領域においてサブキャリアをもたらし得る。協調リソース区分が周波数ベースと時間ベースの両方であるとき、干渉セルは、周波数リソースと時間リソースの両方の組合せをもたらし得る。
【００４５】
図４に、マクロＵＥ１２０ｙがフェムトセルｙから厳しい干渉を受けているときでも、ｅＩＣＩＣが、実線の無線リンク４０２によって示されるように、ｅＩＣＩＣをサポートするマクロＵＥ１２０ｙ（たとえば、図４に示されるＲｅｌ−１０マクロＵＥ）がマクロセル１１０ｃにアクセスすることを可能にし得る例示的なシナリオを示す。破線の無線リンク４０４によって示されるように、レガシーマクロＵＥ１２０ｕ（たとえば、図４に示されるＲｅｌ−８マクロＵＥ）は、フェムトセル１１０ｙからの厳しい干渉下でマクロセル１１０ｃにアクセスすることができないことがある。フェムトＵＥ１２０ｖ（たとえば、図４に示されるＲｅｌ−８フェムトＵＥ）は、マクロセル１１０ｃからのいかなる干渉問題もなしにフェムトセル１１０ｙにアクセスし得る。
【００４６】
区分情報の異なるセットを有するネットワークが、ｅＩＣＩＣをサポートし得る。区分情報セットの１つのタイプは、半静的リソース区分情報（ＳＲＰＩ：Semi-static Resource Partitioning information）と呼ばれることがある。ＳＲＰＩは、典型的に頻繁に変化せず、ＳＲＰＩはＵＥに送られ得、したがってＵＥは、ＵＥ自体の動作のためにリソース区分情報を使用することができる。区分情報の別のセットは、適応リソース区分情報（ＡＲＰＩ：Adaptive Resource Partitioning Information）と呼ばれることがある。
【００４７】
いくつかの実施形態では、リソース区分は、８ｍｓの周期性（８つのサブフレーム）または４０ｍｓの周期性（４０個のサブフレーム）で実施され得る。いくつかの実施形態では、周波数リソースを同様に区分するために周波数分割複信（ＦＤＤ）が適用され得る。（たとえば、セルノードＢからＵＥへの）ダウンリンク通信の場合、区分パターンは、知られているサブフレーム（たとえば、４などの整数Ｎの倍数であるシステムフレーム番号（ＳＦＮ：system frame number）値を有する各無線フレームの第１のサブフレーム）にマッピングされ得る。区分パターンをマッピングすることは、特定のサブフレームのリソース区分情報（ＲＰＩ：resource partitioning information）を判断するために適用され得る。一例として、ダウンリンクについての（たとえば、干渉セルによってもたらされる）協調リソース区分の対象となるサブフレームは、インデックスによって識別され得る。
【数１】
2015505223.tif 000003
【００４８】
アップリンクの場合、ＳＲＰＩマッピングは、たとえば、４ｍｓだけシフトされ得る。したがって、アップリンクについての例には、以下があり得る。
【数２】
2015505223.tif 000004
【００４９】
ＳＲＰＩは、各エントリについて以下の３つの値を使用し得る。
【００５０】
Ｕ（使用）：この値は、サブフレームが、このセルによって使用されるべき支配的干渉からクリーンアップされていること（すなわち、主要な干渉セルがこのサブフレームを使用しないこと）を示す。
【００５１】
Ｎ（使用しない）：この値は、サブフレームが使用されないことを示す。
【００５２】
Ｘ（未知）：この値は、サブフレームが静的に区分されないことを示す。基地局間のリソース使用量ネゴシエーションの詳細はＵＥには知られない。
【００５３】
ＳＲＰＩの別の可能なパラメータのセットには、以下があり得る。
【００５４】
Ｕ（使用）：この値は、サブフレームが、このセルによって使用されるべき支配的干渉からクリーンアップされていること（すなわち、主要な干渉セルがこのサブフレームを使用しないこと）を示す。
【００５５】
Ｎ（使用しない）：この値は、サブフレームが使用されないことを示す。
【００５６】
Ｘ（未知）：この値は、サブフレームが静的に区分されないこと（および基地局間のリソース使用量ネゴシエーションの詳細はＵＥには知られないこと）を示す。
【００５７】
Ｃ（共通）：この値は、すべてのセルがリソース区分なしにこのサブフレームを使用し得ることを示し得る。このサブフレームは干渉を受け得、したがって、基地局は、厳しい干渉を受けていないＵＥのためにのみこのサブフレームを使用することを選択し得る。
【００５８】
サービングセルのＳＲＰＩは、オーバージエアでブロードキャストされ得る。Ｅ−ＵＴＲＡＮでは、サービングセルのＳＲＰＩは、マスタ情報ブロック（ＭＩＢ：master information block）中で、またはシステム情報ブロック（ＳＩＢ：system information block）のうちの１つ中で送られ得る。事前定義されるＳＲＰＩは、セル、たとえば、マクロセル、ピコセル（オープンアクセスの場合）、およびフェムトセル（限定アクセスの場合）の特性に基づいて定義され得る。そのような場合、システムオーバヘッドメッセージにおけるＳＲＰＩの符号化は、オーバージエアでより効率的にブロードキャストすることを生じ得る。
【００５９】
基地局はまた、ＳＩＢのうちの１つにおいてネイバーセルのＳＲＰＩをブロードキャストし得る。ＳＲＰＩはまた、それの対応する範囲の物理セル識別情報（ＰＣＩ：physical cell identity）を用いて送られ得る。
【００６０】
ＡＲＰＩは、ＳＲＰＩ中の「Ｘ」サブフレームについての詳細情報をもつ、さらなるリソース区分情報を表し得る。上述したように、「Ｘ」サブフレームについての詳細情報は、典型的に基地局のみに知られており、ＵＥには知られていない。
【００６１】
図５および図６に、マクロセルとフェムトセルとを伴うシナリオにおけるＳＲＰＩ割当ての例を示す。Ｕ、Ｎ、Ｘ、またはＣサブフレームは、Ｕ、Ｎ、Ｘ、またはＣ  ＳＲＰＩ割当てに対応するサブフレームである。
【００６２】
ＣＳＩ−ＲＳベースのタイミングを使用するＤＭ−ＲＳベースの復号
制御／データの分離は、異種ネットワーク（ＨｅｔＮｅｔ）中の協調多地点（ＣｏＭＰ：coordinated multi-point）送信および受信に関して重要である。動的送信ポイント選択は、制御／データの分離を必要とし得る。様々なＣｏＭＰシナリオが考慮され得、そのうちの２つが以下に記載される。
【００６３】
一実施形態では、送信ポイントは同じセルＩＤを共有する。したがって、ＰＤＣＣＨを介して送信される制御情報は、ＣｏＭＰクラスタ中のすべての送信ポイントに共通である。
【００６４】
別の実施形態では、送信ポイントは、異なるセルＩＤを有する。このシナリオでは、ＵＥは、データの送信ポイントとは異なる送信ポイントから制御情報を受信し得る。たとえば、制御情報はマクロセルからレガシーＰＤＣＣＨ上で受信され得るが、データはリモートラジオヘッド（ＲＲＨ）から受信され得る。
【００６５】
制御とデータとの分離のために、制御情報のための（少なくともレガシーＰＤＣＣＨのための）送信ポイントは固定のままであり、データのための送信ポイントはサブフレームからサブフレームに動的に変化し得る。動的変化は、復調基準信号（ＤＭ−ＲＳ）によりＵＥに対して透過的である。
【００６６】
制御とデータとの分離は、ＤＭ−ＲＳベースのタイミング推定の点で複雑であり得る。小さい割当て（たとえば、１ＰＲＢ）の場合、復号性能が不十分であり得る。
【００６７】
本発明のいくつかの態様によれば、チャネル状態情報基準信号（ＣＳＩ−ＲＳ）リソースは、タイミング推定のための手段と見なされ得る。Ｒｅｌ−１１では、複数の非０電力ＣＳＩ−ＲＳリソースが利用可能になる。これは、動的ポイント選択（ＤＰＳ：dynamic point selection）をサポートするのに必要とされ得、ここにおいて、データ送信のためのサービング送信ポイントは、サブフレームからサブフレームに変化し得る。ＤＰＳ−ＣｏＭＰの場合、これらのＣＳＩ−ＲＳリソースの各々は１つのサービング仮定に対応し得る。
【００６８】
複数のＣＳＩ−ＲＳリソースのいずれかが、タイミング推定のために使用され得る。また、タイミングは、時間不整合および伝搬遅延差により、異なるＣＳＩ−ＲＳリソースにわたって異なり得ることに留意されたい。これは、多地点協調（ＣｏＭＰ）チャネル状態情報（ＣＳＩ）フィードバック報告の一部として考慮に入れられ得る。
【００６９】
図７に、本発明の一態様による、フィードバックのためのＣＳＩ−ＲＳ送信の一例を示す。図７の例は、ＤＰＳ−ＣｏＭＰをサポートする３つのＣＳＩ−ＲＳリソースＡ、ＢおよびＣを示し、その各々は、それぞれ１つの送信ポイントＡ、ＢおよびＣに対応する。
【００７０】
図８に、本発明の一態様による、復調のためのＤＭ−ＲＳ送信を示す。図８の例では、ネットワークが、データ送信をサービスするために送信ポイントＡと送信ポイントＢとの間で切り替えるとき、ＵＥは、ＣＳＩ−ＲＳリソースのうちのどれがタイミング推定のために使用されるべきかについて、たとえば、許可中の１〜２ビットを介して通知される。その情報は、送信ポイントのうちのどれがＵＥに実際に送信しているかを示す。図において使用されるＣＳＩ−ＲＳリソースと送信ポイントとの１対１の関連付けは、一例としてのみ働くことに留意されたい。いくつかの実施形態では、ＣＳＩ−ＲＳリソースは、単一の送信ポイントよりも多くの送信ポイントにわたり得る。
【００７１】
ＣＳＩ−ＲＳから導出されたタイミングは、（たとえば、制御／データの分離により）サービングセルのＣＲＳベースのタイミングとは異なり得る。１つの解決策は、データも送信される同じリソース中に埋め込まれたＤＭ−ＲＳパイロットに基づいて、ＤＭ−ＲＳベース送信のタイミングを推定することである。しかしながら、ＤＭ−ＲＳが、特定のＵＥに割り当てられたそれらのリソース上のみに存在するので、復号性能は、タイミング推定のために共通基準信号（ＣＲＳ）が使用される場合と比較して悪化し得るが、これは、ＣＲＳが送信された広帯域であり、あらゆるサブフレーム中で利用可能であるからである。特定のＵＥの観点から、この特定のＵＥがスケジュールされるときのみＤＭ−ＲＳが存在する（それは、あらゆるサブフレーム中に供せられるとは限らないことがある）ので、サブフレームにわたってタイミング推定値を平均化することは、概して可能でないことがあることにも留意されたい。
【００７２】
ＣＳＩ−ＲＳベースのタイミング推定は、ＤＭ−ＲＳベースのタイミング推定の代替形態である。しかしながら、ＣＳＩ−ＲＳとＤＭ−ＲＳとの間のリンケージは、依然として不在であり得る。ＣＳＩ−ＲＳリソースがタイミング推定のために使用される場合でも、ＵＥは、ＵＥがＤＭ−ＲＳベースのＰＤＳＣＨ送信を受信したとき、これらの構成されたＣＳＩ−ＲＳリソースのうちのどれがタイミング推定のために使用されるべきかを知らない。例示的な実施形態によれば、この情報は、暗黙的にまたは明示的にシグナリングされ得る。
【００７３】
ＵＥに明示的にシグナリングするために、シグナリングは、ＤＭ−ＲＳベース送信またはスケジュールされたデータ送信の許可中に含まれる少なくとも１ビットを介して、サブフレーム中でタイミング推定を実行するために使用されるべきＣＳＩ−ＲＳリソースを示す。これは、比較的フレキシブルなオプションであるが、許可中に追加のペイロード（たとえば、１〜２ビット）を必要とする。ビットは、構成されたＣＳＩ−ＲＳリソースのセットをインデックス付けするために使用され得る。タイミング推定のために使用されるべきＣＳＩ−ＲＳリソースのこの動的な明示的にシグナリングされた指示は、同じサブフレーム中に供せられているＤＭ−ＲＳベースのＰＤＳＣＨ送信のみに適用され得る。
【００７４】
ＵＥに暗黙的にシグナリングするために、シグナリングは、許可中のスクランブリングコード識別（ＳＣＩＤ：scrambling code identity）ビットを介して、サブフレーム中でタイミング推定を実行するために使用されるべきＣＳＩ−ＲＳリソースを示す。したがって、タイミング推定は仮想セルＩＤに結合される。明示的シグナリングに関して、許可中の新しい（１つまたは複数の）ビットを導入する代わりに、許可中の既存のＳＣＩＤビットが、シグナリングを行うために再利用される。しかしながら、暗黙的シグナリングは、２つの異なる値のみ、すなわち、一方の仮想セルＩＤに関連付けられた１つのＣＳＩ−ＲＳリソースと、他方の仮想セルＩＤに関連付けられた１つのＣＳＩ−ＲＳリソースとの間で切り替えることに限定され得る。いくつかの実施形態によれば、仮想セルＩＤは、サービングセルに対応しないことがあるが、認容されるセルＩＤ値の範囲内にあるセルＩＤに対応し得る。ＤＭ−ＲＳスクランブリングシーケンスのための３つ以上の仮想セルＩＤの動的シグナリングがサポートされる場合、上記の概念は、３つ以上の仮想セルＩＤに等しく適用され得ることにさらに留意されたい。
【００７５】
ＵＥが、（たとえば、許可中のＳＣＩＤビットを介して）いずれの仮想セルＩＤを仮定すべきかに関して動的にシグナリングされた場合、ＣＳＩ−ＲＳリソースは、いずれかの仮想セルＩＤに半静的に結合され得る。このマッピングは、１対１、または１対多であり得、ここで、１つまたは複数のＣＳＩ−ＲＳリソースが各仮想セルＩＤに関連付けられる。
【００７６】
いくつかの実施形態では、シグナリングは、他のＣＳＩ−ＲＳリソースシグナリング、たとえば、フィードバック報告と整合され得る。例示的な一実施形態では、非周期フィードバック報告が特定のＵＥから（たとえば、許可を介して）要求される。ＵＥが２つ以上のＣＳＩ−ＲＳリソースで構成された場合、この要求は、ＣＳＩ−ＲＳリソースのうちのどれが報告されるべきかを示す必要があり得る。要求は、第１のサブフレーム中で送られ得る。次いで、第１のサブフレームに続く第２のサブフレーム中で、ＵＥはＤＭ−ＲＳベースのデータ送信を受信し、ＵＥは、受信されたＤＭ−ＲＳベースのデータ送信のタイミングを導出するためのソースと同じＣＳＩ−ＲＳリソースであって、ＣＳＩを報告するために使用されるＣＳＩ−ＲＳリソースを使用し得る。複数の非周期フィードバック要求がサブフレームにわたって受信された場合の混乱を回避するために、ＣＳＩ−ＲＳベースのタイミングリソースの自律選択が、場合によっては処理遅延を考慮するためにある程度のオフセットを条件として、最後の受信された非周期フィードバック要求に基づき得る。
【００７７】
この概念は、ＣＳＩ−ＲＳリソース指示が、非周期フィードバック報告を要求する許可中に存在しない場合に拡張され得ることにさらに留意されたい。たとえば、非周期フィードバック要求の受信時に、ＵＥが、いずれのＣＳＩ−ＲＳリソースを報告すべきかを自律的に選択することが可能になった場合、同じ手順が、タイミングソースを選択する（たとえば、報告のためのシグナリングされたＣＳＩ−ＲＳリソースを、ＵＥによって指示されたＣＳＩ−ＲＳリソースと交換する）ために適用されることになる。
【００７８】
いくつかの実施形態では、ｅＮＢが上記の手順から逸脱することを決定したときはいつでも、オーバーライドフラグが送信され得る。
【００７９】
上記のオプションのいずれかの場合、シグナリングは、リソース制約ＣＳＩ測定値およびフィードバック報告構成と組み合わされ得る。たとえば、異なるマッピングが、上位レイヤによって構成された異なるサブフレームセット上で実装され得る。
【００８０】
例示的な実施形態はまた、クロスキャリアスケジューリング態様を対象とする。クロスキャリアスケジューリングは、暗黙的／明示的シグナリングオプションと組み合わされ得る。このようにして、ＵＥは、将来のサブフレーム中で仮定すべきタイミングに関して、事前に少なくとも１つのサブフレームを通知され得る。これは、ＵＥが将来の送信のためにそれのＦＦＴウィンドウを整合させることができるいくつかの実装形態では、有用であり得る。たとえば、２つのＦＦＴを実行するＵＥは、（たとえば、ＰＤＣＣＨを復号するために）サービングセルの制御送信と常に整合された一方のＦＦＴを保持することができる。他方のＦＦＴは、シグナリングされる分離されたｃｔｒｌ／データまたはＤＰＳ送信のタイミングと整合され得る。上記に従って、他の実装形態固有の構成要素も、将来のサブフレーム中でシグナリングされる送信と事前に整合させられ得る。
【００８１】
上記で説明された例示的な実施形態は、ＰＤＳＣＨ送信に関係し得るが、これらは、従来、サブフレームのデータ領域であるものを利用し得、狭帯域であり得るＤＭ−ＲＳベースの発展型ＰＤＣＣＨ（ＥＰＤＣＣＨ：evolved PDCCH）送信に等しく適用され得、これは、ＥＰＤＣＣＨのための送信ポイントも、動的に変化し、および／またはＵＥに対して透過的であり得るからである。
【００８２】
擬似コロケーションシグナリング
上記の例で行われるシグナリングは、限定されないが、ＣＳＩ−ＲＳリソース、ＤＭ−ＲＳ、およびＣＲＳを含む基準信号のいずれのセットが、ＵＥによってコロケートされると仮定され得るかをＵＥに通知するので、「擬似コロケーション」シグナリングの一形態と呼ばれることがある。上記の説明では、この擬似コロケーションシグナリングは、特定のＣＳＩ−ＲＳリソースおよびＰＤＳＣＨ  ＤＭ−ＲＳの動的擬似コロケーションシグナリングに焦点を当てた。
【００８３】
本発明の別の態様では、この擬似コロケーションシグナリングは、ＣＲＳを含むために拡張され得る。送信ポイントが異なるセルＩＤに関連付けられたマルチセルシナリオでは、擬似コロケーションシグナリングは、ＵＥが、ＰＤＳＣＨまたはＥＰＤＣＣＨ復調に関連付けられた、さらに拡張された時間および／または周波数推定を実行することを可能にする。これは、ＣＲＳが、改善された性能を可能にし得るより緻密な基準シグナリングであるので、有用である。
【００８４】
一実施形態では、特定の物理セルＩＤに関連付けられたＣＲＳとＤＭ−ＲＳとの擬似コロケーションシグナリングは、上述のＣＳＩ−ＲＳ／ＤＭ−ＲＳ擬似コロケーションシグナリングに部分的に基づき得る。この手法に従うためのモチベーションは、追加の動的シグナリングを回避することに根ざしている。ＣＳＩ−ＲＳ／ＤＭ−ＲＳシグナリングが利用可能な場合、ＣＲＳとＤＭ−ＲＳとの間の動的シグナリングは、ＣＳＩ−ＲＳリソースを特定のＣＲＳとリンクすることによって行われ得る。ＵＥは、サブフレーム中のＤＭ−ＲＳがＣＳＩ−ＲＳと擬似コロケートされることを通知される。ＣＳＩ−ＲＳリソースとＣＲＳとの間のリンケージは、ＵＥが、サブフレーム中のＤＭ−ＲＳが特定の物理セルＩＤのＣＲＳと擬似コロケートされると推論することを可能にする。
【００８５】
特定のＣＳＩ−ＲＳリソースを、特定の物理セルＩＤに関連付けられたＣＲＳとリンクする上記のシグナリングは、様々な方法で実行され得る。いくつかの実施形態では、シグナリングは、ＲＲＣ構成によって行われ得、ＣＳＩ−ＲＳ構成の一部として含まれ得る。詳細には、各ＣＳＩ−ＲＳリソースは、この特定のＣＳＩ−ＲＳリソースをある物理セルＩＤとリンクするフィールド、したがって、その物理セルＩＤに関連付けられたＣＲＳとリンクするフィールドを含み得る。いくつかの実施形態では、シグナリングは随意である。ＣＳＩ−ＲＳとＣＲＳとがリンクされない場合、特定のＣＳＩ−ＲＳリソースは、ＣＲＳと擬似コロケートされると仮定されないことがある。
【００８６】
別の実施形態では、ＣＳＩ−ＲＳ／ＣＲＳシグナリングは、ＣＳＩ−ＲＳ／ＤＭ−ＲＳ擬似コロケーションシグナリングの一部として行われ得る。説明されるように、ＣＳＩ−ＲＳ／ＤＭ−ＲＳ擬似コロケーションは、仮想セルＩＤ、または暗黙的シグナリングの何らかの他の形態に結合され得る。このシグナリングは、そのうちの１つのパラメータセットが（たとえば、上記で説明されたＳＣＩＤビットを使用して）動的シグナリングによって選択されるいくつかのＲＲＣ構成されたパラメータセットをＵＥに効果的に与えると見なされ得る。ＣＳＩ−ＲＳ／ＣＲＳ擬似コロケーションシグナリングは、ＣＳＩ−ＲＳ／ＤＭ−ＲＳシグナリングフレームワークにこのシグナリングをより直接組み込むこれらのパラメータセットの各々に追加され得る。このようにしてシグナリングを実行する１つの利益は、ＣＳＩ−ＲＳリソースとＣＲＳとの間のリンケージが、それらに対して動的シグナリングが実際に行われ得るそれらのＣＳＩ−ＲＳリソースに必要とされ得ることである。これは、動的ＣＳＩ−ＲＳ／ＤＭ−ＲＳシグナリングが、いくつかのＣＳＩ−ＲＳリソースにのみ適用される場合、シグナリングを簡略化し得る。
【００８７】
別の態様では、擬似コロケーション仮定のシグナリングに関係して、シグナリングは、いずれのＤＣＩフォーマットがＰＤＳＣＨ送信をスケジュールするかに依存し得る。たとえば、仮想セルＩＤに基づく暗黙的シグナリングは、ＵＥがＤＣＩフォーマット２Ｃまたはそれの拡張のうちの１つによってスケジュールされるときのみ適用され得る。ＵＥが、ＤＣＩフォーマット１Ａを介してスケジュールされるとき、ＤＣＩフォーマット２Ｃまたはそれの拡張のうちの１つに関連付けられたシグナリングオプションのいずれかとは完全に異なることがあるシグナリング仮定の別のセットが使用され得る。そのような挙動は、ＤＣＩフォーマット１Ａが主にフォールバック送信のために使用されるという事実によって動機を与えられる。そのようなフォールバック動作をレガシー解放の挙動と整合させるために、異なる擬似コロケーション挙動をシグナリングすることが望ましいことがある。たとえば、ＵＥは、ＤＣＩフォーマット１Ａを介してスケジュールされるときに、ＣＲＳとＣＳＩ−ＲＳとＤＭ−ＲＳとのすべてが擬似コロケートされると仮定し得る。代替として、特定の仮定は、ＤＭ−ＲＳと擬似コロケートされると仮定されるべきである、特定のＣＳＩ−ＲＳリソースおよび／または特定のＣＲＳなどのＲＲＣ構成を介してシグナリングされ得る。動的シグナリングは、ＤＣＩフォーマット１Ａが、複数の仮想セルＩＤの中から選択すべき動的シグナリングを与えないので、この場合、必要とされないことがある。
【００８８】
別の態様では、ＣＳＩ−ＲＳとＣＲＳとの擬似コロケーションシグナリングは、ＥＰＤＣＣＨ送信のために行われ得る。シグナリングは、上記の提案に従って実行され得、擬似コロケーションパラメータのいくつかの候補セットのうちの１つを選択することを備え得る。これらのパラメータセットの各々は、ＵＥにシグナリングされるＲＲＣである、あるＥＰＤＣＣＨ復号セットに関連付けられ得る。たとえば、各潜在的ＥＰＤＣＣＨ復号代替形態について（または復号代替形態の各構成されたセットについて）、ＵＥは、ＥＰＤＣＣＨ復号と擬似コロケートされると仮定され得る特定のＣＳＩ−ＲＳリソースと特定のＣＲＳとの指示を備える擬似コロケーション仮定のパラメータセットを用いてＲＲＣ構成され得る。そのようなシグナリングは、ＥＰＤＣＣＨに適用可能でないことがある動的シグナリングの必要を回避する、上記で説明されたＰＤＳＣＨシグナリングオプションの拡張と見なされ得る。
【００８９】
図９に、本開示のいくつかの態様による、例示的な動作９００を示す。例示的な方法９００によって示される動作は、たとえば、図３によるＵＥ１２０のコントローラ／プロセッサ３８０によって実行され得る。
【００９０】
動作は、ブロック９０２において、１つまたは複数のチャネル状態情報基準信号（ＣＳＩ−ＲＳ）リソースを受信することから開始し得る。１つまたは複数のＣＳＩ−ＲＳリソースは、上位レイヤによってシグナリングされるＣＳＩ−ＲＳリソース構成に従って送信される（たとえば、ＣＳＩ−ＲＳリソース構成は、その各々が、ある送信ポイントに対応する直交ＣＳＩ−ＲＳリソースから構成され得る）。ブロック９０４において、１つまたは複数のＣＳＩ−ＲＳリソースに基づくタイミング推定が実行される。ブロック９０６において、ＤＭ−ＲＳベース送信が受信され、ブロック９０８において、ＤＭ−ＲＳベース送信を復号するためにタイミング推定が利用される。
【００９１】
図１０に、本開示のいくつかの態様による、例示的な動作１０００を示す。例示的な方法１０００によって示される動作は、たとえば、図３によるｅＮＢ１１０のコントローラ／プロセッサ３４０によって実行され得る。
【００９２】
動作は、ブロック１００２において、ユーザ機器（ＵＥ）に、タイミング推定を実行するために使用されるべき１つまたは複数のチャネル状態情報基準信号（ＣＳＩ−ＲＳ）リソースのセットを示すシグナリングを送信することから開始し得る。ブロック１００４において、ＤＭ−ＲＳベース送信はＵＥに送られる。ＤＭ−ＲＳ送信は、指示されたＣＳＩ−ＲＳリソースを使用して実行されたタイミング推定に基づいてＵＥによって復号される。
【００９３】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９４】
さらに、本明細書の開示に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップが、上記では概してそれらの機能に関して説明された。そのような機能をハードウェアとして実装するか、ソフトウェアとして実装するかは、特定の適用例および全体的なシステムに課された設計制約に依存する。当業者は、説明された機能を特定の適用例ごとに様々な方法で実装し得るが、そのような実装の決定は、本開示の範囲からの逸脱を生じるものと解釈すべきではない。
【００９５】
本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９６】
本明細書の開示に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、および／または記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末内に存在し得る。代替として、プロセッサおよび記憶媒体は、ユーザ端末中に個別構成要素として存在し得る。概して、図に示される動作がある場合、それらの動作は、同様の番号をもつ対応するカウンターパートのミーンズプラスファンクション構成要素を有し得る。
【００９７】
１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００９８】
本開示についての以上の説明は、いかなる当業者も本開示を作成または使用することができるように与えられたものである。本開示への様々な修正は当業者には容易に明らかとなり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
【図１】
2015505223.tif 000005
【図２】
2015505223.tif 000006
【図２Ａ】
2015505223.tif 000007
【図３】
2015505223.tif 000008
【図４】
2015505223.tif 000009
【図５】
2015505223.tif 000010
【図６】
2015505223.tif 000011
【図７】
2015505223.tif 000012
【図８】
2015505223.tif 000013
【図９】
2015505223.tif 000014
【図１０】
2015505223.tif 000015
【国際調査報告】
2015505223.tif 000016
2015505223.tif 000017